(57)【要約】【課題】拡大された新たな使用範囲を有する棒状のランプを提供する。【解決手段】棒状のランプであって、バッテリ引き出しを有したシャフト（１０）と、光源を有したランプヘッド（１１）とが設けられており、光源が有利には単数又は複数の発光ダイオード（２４）を有している形式のものにおいて、ランプヘッド（１１）とは反対側の端部に、差し替え可能な脚部（１６）が解離可能に固定されていて、該脚部（１６）の第１の端部が槍状差込部（１７）として形成されていて、第２の端部が打撃工具（１８）として形成されている。【選択図】　　　図５
2004079519.tif 000002
【特許請求の範囲】
【請求項１】
棒状のランプであって、バッテリ引き出しを有したシャフト（１０）と、光源を有したランプヘッド（１１）とが設けられており、光源が有利には単数又は複数の発光ダイオード（２４）を有している形式のものにおいて、
ランプヘッド（１１）とは反対側の端部に、差し替え可能な脚部（１６）が解離可能に固定されていて、該脚部（１６）の第１の端部が槍状差込部（１７）として形成されていて、第２の端部が打撃工具（１８）として形成されていることを特徴とする棒状のランプ。
【請求項２】
脚部（１６）の両端部（１７，１８）が、少なくともほぼ端部側で円錐状に形成されており、槍状差込部の円錐角度は有利には、打撃工具の円錐角度よりも小さい、請求項１記載のランプ。
【請求項３】
脚部（１６）が、円筒状の中間部材（１９）を有しており、該中間部材（１９）の外周面直径は、シャフト（１０）の、ランプヘッド（１１）とは反対側の開かれた端部（２１）の内径とほぼ同じ大きさであって、これにより中間部材（１９）は、摩擦接続的な結合部を形成するように差込可能、または相応のねじ山結合によりねじ込み可能である、請求項１又は２記載のランプ。
【請求項４】
ランプヘッド（１１）がランプシャフト（１０）に交換可能に取り付けられていて、有利にはねじ込まれている、請求項１から３までのいずれか１項記載のランプ。
【請求項５】
ランプヘッド（１１）が単数又は複数の発光ダイオード（２４）と、これらのダイオード（ｎ）（２４）を取り付け可能なボードと、内面において螺線状のコンタクトばね（２３）とを有しており、該コンタクトばね（２３）はばね応力下で、ランプシャフト（１０）内に挿入された、場合によっては最上方のバッテリに当て付けられる、請求項４記載のランプ。
【請求項６】
脚部（１６）の中間部材（１９）は、打撃工具（１８）の円錐状の部分との接続部に雄ねじ山を有しており、該雄ねじ山は、脚部が固定された状態で外部に露出するので、相応に形成された雌ねじ山を備えた中空カバー（２２）がねじ込み可能である、請求項３から５までのいずれか１項記載のランプ。
【請求項７】
ランプヘッド（１１）に、光透過性の、有利には棒状のランプ本体（１２）が解離可能に固定されている、請求項１から６までのいずれか１項記載のランプ。
【請求項８】
ランプ本体（１２）がプラスチック、有利にはアクリルガラス（ＰＭＭＡ）から成っていて、且つ／又はランプヘッド（１１）にねじ込まれている、請求項７記載のランプ。
【発明の詳細な説明】
【０００１】
【発明の属する技術分野】
本発明は、棒状のランプであって、バッテリ引き出しを有したシャフトと、光源を有したランプヘッドとが設けられており、光源が有利には単数又は複数の発光ダイオードを有している形式のものに関する。
【０００２】
【従来の技術】
ＷＯ０２／０５７６８４Ａ１号特許明細書には既に、居住空間ランプが記載されていて、このランプは、ランプ脚部と、ランプシャフトと、ランプシャフト内に配置された支持体に交換可能に固定されている光源とを有している。光源としては、単数又は複数の発光ダイオードが使用されていて、この発光ダイオードはランプシャフト内に配置されていて、ランプシャフト端部に交換可能に被せ嵌められたランプ本体を照明する。ランプ本体は、棒状または円錐状であってよく、透明の材料、有利にはプラスチックから成っている。特別な構成では、ランプシャフトは棒状の懐中電灯として形成されていて、バッテリ引き出しとして内側の中空室を有している。このバッテリ引き出しは、ランプシャフトをランプ脚部から螺合解除した後、バッテリ引き出しカバーによって閉鎖可能である。ランプは、装着されたランプ本体を備えて、またはなしで使用することができる。
【０００３】
発光ダイオードによって稼動する携帯用ランプの利点は、発光ダイオードは作動中、白熱電球もしくはグロー電球に比べて著しく僅かな電力消費を有していることにある。これにより、所定のバッテリ容量において比較的長い照明寿命が保証されている。さらに発光ダイオードは、フィラメントを備えたランプよりも著しく打撃に対して強い。さらに、これとは関係なく、グロー電球の全耐用期間は、発光ダイオードよりも極めて短い。
【０００４】
【特許文献１】
ＷＯ０２／０５７６８４Ａ１号特許明細書
【０００５】
【発明が解決しようとする課題】
本発明の課題は、拡大された新たな使用範囲を有する棒状のランプを提供することである。
【０００６】
【課題を解決するための手段】
この課題を解決するために本発明の構成では、ランプヘッドとは反対側の端部に、差し替え可能な脚部が解離可能に固定されていて、該脚部の第１の端部が槍状差込部として形成されていて、第２の端部が打撃工具として形成されているようにした。
【０００７】
【発明の効果】
携帯用の棒状のランプとしての第１の機能の他に、突出した脚部端部に応じてランプは地面に差し込むことができる。これにより、ランプは庭または道路端で照明手段として利用できる。脚部を相応に差し替えることにより、ランプヘッドの反対側の端部には打撃工具を組み付けることもできる。この打撃工具により、必要とあらば、危険な状態にある人を救助するために、車のガラスまたはドアガラスもしくは窓ガラスを破壊することができる。事故状況では、乗用車のドアの開放が不可能であることも珍しくなく、これにより事故の犠牲者への接近が遅れてしまう。救助隊もしくは個人が、本発明によるランプを車両内に携行しているならば、ランプの打撃工具がフロントウィンド、リアウィンド、サイドウィンドの破壊のために利用でき、これにより事故犠牲者をアクセス可能な窓開口部を介して保護できる。同様のことが家の火災の場合にも言える。特に、住人がガス発生により、特に一酸化炭素により、既に意識を失っていて、火元からもはや逃れられない場合に利用できる。しばしば、唯一の救出手段として、室内に入り込むためにドアまたは窓は叩き壊すしかない。
【０００８】
暗闇では高速道路の斜面等のように通行困難な土地を進まねばならない場合には特に、必ずしも必要でなくても、携帯用ランプを携行することは少なくとも有利である。このような場合には、本発明によるランプを使用する救助人は、常に相応の打撃工具を準備して備えていることになる。さもなければ、公共の交通機関で見られるように別個のハンマとしての打撃工具を携行しなければならない。しかしながら距離が置かれていることにより、救助を必要としている人を救助するために打撃工具が必要であるのかどうかは殆ど見分けられず、しばしば適当な器具を調達するのに貴重な時間が失われる。
【０００９】
打撃工具が必要ではない、またはもはや必要ではなくなった場合でも、棒状のランプもしくは槍状差込部は地面に打ち込むことができるので、これにより固定的な光源が得られる。特に、被せ嵌められた、またはランプヘッドにねじ込まれたアクリルロッドを使用して、パーティー、ガーデンパーティーまたは事故現場でも、良好な照明効果が得られる。これについては後で詳しく説明する。
【００１０】
本発明の別の構成は請求項２以下に記載されている。
【００１１】
有利には、上記脚部の両端部が、少なくともほぼ端部側で円錐状に形成されており、槍状差込部の円錐角度は有利には、打撃工具の円錐角度よりも小さい。槍状差込部を地面に差し込むことは、脚部端部の鋭利な先端により著しく容易にされる。部分的には、鋭利にして初めて可能でもある。基本的に、アウトドア照明における槍状差込部は既に公知であるが、この槍状差込部はランプケーシングに不動に結合されている。逆に、打撃工具ではその硬さの方が重要である。打撃工具が鋭利に構成されていると、場合によっては車の窓ガラスを狭い面積でしか突き破らず、決定的な破壊には到らないという欠点がある。このような理由から打撃工具の円錐角度は、打撃の際に相応の面作用が得られるように比較的大きく選択されている。
【００１２】
良好な取り扱い性を得るために、脚部が、円筒状の中間部材を有しており、該中間部材の外周面直径は、ランプのシャフトの、ランプヘッドとは反対側の開かれた端部の内径とほぼ同じ大きさであって、これにより中間部材は、摩擦接続的な結合部を形成するように差込可能、または相応のねじ山結合によりねじ込み可能である。このような手段は、十分に安定的であるので有利である。
【００１３】
本発明の別の有利な構成では、ランプヘッドがランプシャフトに交換可能に固定されていて、有利には、ねじ結合されている。このようにして、単数又は複数の発光ダイオードを備えたランプヘッド全体を、１つの照明色から別の照明色に変更するために交換することができる。発光ダイオードは構成形式に応じて種々様々な放射スペクトルを有している。即ち主として、白色、青色、オレンジ、黄色、赤に光るダイオードが公知である。ガーデンパーティーの来場者は、これを例えば次のように利用することができる。即ち、歩道を照らすためには白色光を放射する発光ダイオードを備えたランプヘッドを選択する。ゴール地には、ランプヘッドを交換することにより、赤、青、黄色に「変更」することができる。この場合、棒状のランプは、槍状差込部によって地面に打ち込むことができる。場合によっては、現地で、ランプヘッドに、照明効果を高める透明のアクリルガラスロッドをねじ込むこともできる。
【００１４】
本発明の別の有利な構成によれば、ランプヘッドが単数又は複数の発光ダイオードと、これらのダイオード（ｎ）を取り付け可能なボードと、内面において螺線状のコンタクトばねとを有しており、該コンタクトばねはばね応力下で、ランプシャフト内に挿入された、場合によっては最上方のまたは唯１つのバッテリに当て付けられる。通常の構成形式の懐中電灯は、バッテリ引き出し端部に、ねじ込み可能なまたは被せ嵌めねじ込み可能なカバーを有している。このカバーにはコンタクト用コイルばねが設けられていて、このコイルばねは一方では電気回路を閉じるために働き、かつ、１つのバッテリの押し付け若しくは積層バッテリの押し付けのためにも利用される。本発明によれば、光源とは反対側の端部に脚部が設けられているので、上記構成ではなく、一方ではバッテリ引き出し閉鎖カバーとして働き、他方では脚部のための収容スリーブとして働くねじ外し可能な相応の端部部材を設ける必要がある。コンタクトばねとして働く当該コイルばねが、ランプヘッド自体に配置されているならばこのことは回避される。バッテリの挿入若しくは取り出しのためのバッテリ引き出しは、ランプヘッドをねじ外すことによりアクセス可能である。
【００１５】
本発明の別の構成では、脚部の中間部材は、打撃工具の円錐状の部分との接続部に雄ねじ山を有しており、該雄ねじ山は、脚部が固定された状態で外部に露出するので、相応に形成された雌ねじ山を備えた中空カバーがねじ込み可能である。このような中空カバーは、打撃工具を外側からカバーするために使用される。同時に、閉鎖カバーによって、ほぼ円筒状のランプのロッド形状が、後方のランプ端部にも続けられる。
【００１６】
既に説明したように、ランプヘッドに、光透過性の、有利には棒状のランプ本体が解離可能に固定されている。アクリルガラス（ＰＭＭＡ）のようなプラスチックから成るランプ本体は特に適している。ランプヘッドとアクリルガラスとの間では、有利にはねじ結合が選択される。このためにランプヘッドは、開かれた端部に雌ねじ山を有しており、この雌ねじ山に相応の適合する直径と同じピッチとを有したアクリルロッドの雄ねじ山がねじ込まれる。アクリルロッドは「受動的な照明手段」として使用される。「受動的な照明手段」は、幾分すりガラス的な構造に基づき、ランプ本体から放射される光を拡散して反射する。アクリルガラスロッドの外周面に、任意な形状の溝がフライス加工されている場合には、特別な照明効果が得られる。このような溝は、ジオメトリックな溝輪郭を強化された反射により著しく可視的に再現する。
【００１７】
本発明の範囲では、ランプヘッドが例えば、同色のまたは多色の照明特性を有した３つの発光ダイオードを有することができる。種々様々な色の放射を有した全てのダイオードが同時的にスイッチオンされると、これにより色の混合が生じる。同様に、周期的に制御可能な、個々のダイオードのスイッチオン・オフ時間を有した電気的な切替スイッチを介して、色変更作用が得られる。同様に、点滅機能も実現可能である。このために、種々異なる照明機能を発動する、直列回路として形成された唯一のスイッチまたは相応の数のスイッチを設けることができる。
【００１８】
【発明の実施の形態】
次に図面につき本発明の実施の形態を詳しく説明する。
【００１９】
本発明による棒状のランプは、主として、バッテリ引き出しも内包しているランプシャフト１０と、ランプヘッド１１とから成っている。ランプヘッド１１の開かれた端部には、図１〜図３に示したようにアクリルロッド１２をねじ込むことができる。このアクリルロッド１２は図示の実施例では単数又は複数の環状の溝１３を外周面に有している。ランプシャフト１０の長さは任意に選択することができるが、有利には３０〜５０ｃｍである。ほぼ円筒形のランプシャフト１０の直径は２〜３ｃｍであって、ランプヘッド１１の直径と同じ大きさである。ランプヘッド１１は付加的に複数の貫通孔１４を有している。この孔は、ダイオードに対する位置に応じて側方へ光を放射する。ランプは、圧力スイッチ１５を介してオン・オフ切り替えされる。ランプシャフト１０における圧力スイッチ１５の位置は、基本的に任意に選択可能である。アクリルガラスロッド１２の長さも同様に任意に選択可能であって、この場合、比率的な理由から、その長さは、ランプヘッド１１も含めたランプシャフト１０の長さとほぼ同じに選択される。
【００２０】
本発明によれば、ランプヘッド１１とは反対側の端部に、差し替え可能な脚部１６（図５の分解図参照）が解離可能に固定されている。この脚部の第１の端部は槍状差込部１７として、第２の端部は打撃工具１８として形成されている。図５に示されたように、この脚部１６は、突起２０の雄ねじ山（ここでは両側）を有した円筒状の中間部材１９を有している。この雄ねじ山は、ランプ端部２１の雌ねじ山にねじ込み可能であって、これにより、下方のランプ部分としての槍状差込部１７または打撃工具１８（図３参照）が露出される。付加的に、図１、図４、図５に示したように、さらに１つのカバー２２を中間部材１９の雄ねじ山にねじ込むことができる。この場合、カバー内中空室は、所定の深さを有していて、この深さは打撃工具１８の長さよりも大きくなければならない。槍状差込部１７は、この槍状部分を地面に容易に差し込むことができるように上方の部分で円筒状に、前方に向かって鋭利に形成されている。打撃工具１８は主として、丸く面取りされた先端を備えた短い円錐部材から成っている。この場合、先端は、著しく大きな円錐角度が選択されている。ランプは、ねじ込まれたカバー２２付きでまたはカバー２２なしで、かつアクリルロッド１２付きでまたはアクリルロッド１２なしで携行されて、照明手段として利用できる。ランプが、固定されたランプとして地面に差し込まれるならば、場合によっては、カバー２２は取り外され、脚部は図３および図４に示した位置からねじ外され、逆になるよう回転されて、再びねじ込まれる。これにより、図２の状態が得られる。ランプシャフトは、下方の端部で中空に形成されていて、槍状差込部１７を全長で収容するために適した中空室深さを有していなければならない。
【００２１】
図６および図８より明らかであるように、種々様々な、特に種々異なる色のダイオードを備えた種々異なるランプヘッド１１を使用することができる。ランプヘッド１１はこのために、ランプシャフト１０内に解離可能にねじ込まれている。後方の端部には、コイルばね２３が配置されてい、このコイルばね２３は、ランプシャフト１０内に配置されたバッテリにコンタクトさせる。図８に示したランプは、３つの発光ダイオード２４を備えている。
【００２２】
中断していない、即ち、完全な長さの、装着されたアクリルガラスロッド１２を備えたランプが、縮小されて図７に示されていて、できるだけ比率的に正確に示されている。アクリルガラスロッド１２は、周面側にフライス加工された溝１３を有している。この溝は、スイッチオン状態で、種々異なる高さの環状の領域として強く反射するように見える。この場合に得られる視覚効果は、特にガーデンパーティーで、又は、通路用照明として使用される。
【００２３】
図９には、ねじ外されたランプヘッド１１とともにランプが示されている。このランプは下方でカバー２２によって閉じられている。
【００２４】
前記説明から、ランプは縦長棒状懐中電灯として、必要とあらば（ねじ込まれたアクリルガラスロッドなしで）乗用車内にまたは消防署や警察の備品としての技術的な補助ツールとしてまたは類似のサービス会社で携行され、若しくは使用され得る。ねじ込まれたアクリルロッドは、レジャーで照明目的で使用されたり、槍状差込部と結合して一時的な道路照明等として使用される。懐中電灯に組み込まれて常に打撃工具が携行されるので、必要とあらば別の使用可能性が、ランプの取り扱い性と形状を損なうことなく得られる。
【００２５】
ランプヘッドの形成のためには、その他の点は、ＷＯ０２／０５７６８１Ａ１号特許明細書に示されていて、特に、高い照明効果は、中空リフレクタの使用により得られる。
【図面の簡単な説明】
【図１】本発明による第１のランプ形式の側方図である。
【図２】図１のランプの別の側方図である。
【図３】図１のランプのさらに別の側方図である。
【図４】図１のランプのさらに別の側方図である。
【図５】図１のランプのさらに別の側方図である。
【図６】交換可能なランプヘッドを有した棒状のランプの側方図である。
【図７】ねじ込み可能なアクリルロッドを有した棒状のランプの斜視図である。
【図８】図６のランプの斜視図である。
【図９】ランプヘッドがねじ外された本発明によるランプを示した斜視図である。
【符号の説明】
１０　ランプシャフト、　１１　ランプヘッド、　１２　アクリルロッド、　１３　溝、　１４　孔、　１５　圧力スイッチ、　１６　脚部、　１７　槍状差込部、　１８　打撃工具、　１９　中間部分、　２０　突部、　２２　カバー、
２３　渦巻ばね、　２４　発光ダイオード
【図１】
2004079519.tif 000003
【図２】
2004079519.tif 000004
【図３】
2004079519.tif 000005
【図４】
2004079519.tif 000006
【図５】
2004079519.tif 000007
【図６】
2004079519.tif 000008
【図７】
2004079519.tif 000009
【図８】
2004079519.tif 000010
【図９】
2004079519.tif 000011